(57)【要約】【課題】種々の開口部に設置される際にも、開口部からの浸水を抑制することができる防水シート、防水シートを用いた防水方法及び開口部の防水装置を提供すること。【解決手段】構造物Ｓの屋内側と屋外側とを連通しかつシャッター４によって開閉される開口部Ｏに設置される防水シート１０と、防水シート１０をシャッター４よりも屋外側に保持する保持部材２０を備えている。防水シート１０は、シート本体１１と、開口部Ｏに設置される際に折畳む位置を示す指示部１５と、指示部１５の近傍に配置されかつ指示部１５に基いて折畳まれる際に屋外側に面する固定部材取付部１２と、を備える。【選択図】図１
2015040438.tif 000002
【特許請求の範囲】
【請求項１】
構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材により保持される防水シートにおいて、
幅方向の両端が前記保持部材により保持されるシート本体と、
前記開口部に設置される際に折畳む位置を示すとともに前記シート本体に鉛直方向に沿って設けられた指示部と、
前記シート本体の前記指示部の近傍に配置され、かつ前記シート本体を前記開閉体に固定する固定部材が取り付けられるとともに、前記指示部に基いて折畳まれる際に前記屋外側に面する固定部材取付部と、を備える
ことを特徴とする防水シート。
【請求項２】
前記指示部は、前記シート本体から屋外側に立設するとともに前記鉛直方向に沿って前記シート本体に設けられたつまみ部を備える
ことを特徴とする請求項１に記載の防水シート。
【請求項３】
構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材により保持されるシート本体と、前記開口部に設置される際に折畳む位置を示すとともに鉛直方向に沿って設けられた指示部と、前記指示部の近傍に配置され、かつ前記シート本体を前記開閉体に取り付ける固定部材が取り付けられる固定部材取付部と、を備える防水シートを用いた防水方法であって、
前記防水シートの幅方向の両端を前記保持部材により保持し、前記固定部材取付部が屋外側に面するように、前記防水シートを前記指示部に基いて折畳み、前記固定部材取付部に取り付けられた固定部材を前記開閉体に取り付ける
ことを特徴とする防水シートを用いた防水方法。
【請求項４】
構造物の屋内側と屋外側とを連通し、かつ開閉体によって開閉される開口部に設置される防水シートと、
前記防水シートが前記開閉体の鉛直方向下端側の所定部と、前記構造物のうち前記所定部に隣接する部分とを一体に覆うことで前記開口部の鉛直方向下端側を閉塞し、かつ前記防水シートの鉛直方向下端部が床面に沿って屋外側に向けて延在するように、前記防水シートを前記開閉体よりも屋外側に位置付けて、前記防水シートの幅方向の端を保持する保持部材と、を備え、
前記防水シートが、
幅方向の両端が前記保持部材により保持されるシート本体と、
前記開口部に設置される際に折畳む位置を示すとともに前記シート本体に鉛直方向に沿って設けられた指示部と、
前記シート本体の前記指示部の近傍に配置され、かつ前記シート本体を前記開閉体に取り付ける固定部材が取り付けられるとともに、前記指示部に基いて折畳まれる際に前記屋外側に面する固定部材取付部と、を備える
ことを特徴とする開口部の防水装置。
【請求項５】
前記指示部は、前記シート本体から屋外側に立設するとともに前記鉛直方向に沿って前記シート本体に設けられたつまみ部を備える
ことを特徴とする請求項４に記載の開口部の防水装置。
【発明の詳細な説明】
【技術分野】
【０００１】
本発明は、防水シート、防水シートを用いた防水方法及び開口部の防水装置に関する。
【背景技術】
【０００２】
従来、開閉体によって開閉される開口部からの浸水を抑制する技術が提案されている。例えば、特許文献１には、開閉体としてのシャッターの裏面には、屈曲自在な防水シートが設けられていると共に、シャッターの幅方向の端を案内するガイド部材には、防水シートと対向するようにしてシール部材が設けられたシャッター装置の技術が開示されている。特許文献１に示されたシャッター装置は、氾濫水等の水圧がシャッターの表面に作用すると、防水シートがシール部材に圧接されるようになっている、浸水防止機能を備えている。
【先行技術文献】
【特許文献】
【０００３】
【特許文献１】特許第４４５９７４０号公報
【発明の概要】
【発明が解決しようとする課題】
【０００４】
前述した特許文献１に示された技術では、防水シートが種々の開口部に設置される際にも、開口部からの浸水を抑制できることについて、なお改良の余地がある。特許文献１に示された技術では、シャッターの裏面に防水シートを取り付けておくために、当該防水シートがシャッターの幅即ち開口部の幅に応じて、適切な寸法に予め形成しておく必要があり、防水シートの量産時にかかる工数が増加して、コストの高騰を招く虞がある。
【０００５】
本発明の目的は、種々の開口部に設置される際にも、開口部からの浸水を抑制することができる防水シート、防水シートを用いた防水方法及び開口部の防水装置を提供することである。
【課題を解決するための手段】
【０００６】
本発明の防水シートは、構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材により保持される防水シートにおいて、幅方向の両端が前記保持部材により保持されるシート本体と、前記開口部に設置される際に折畳む位置を示すとともに前記シート本体に鉛直方向に沿って設けられた指示部と、前記シート本体の前記指示部の近傍に配置され、かつ前記シート本体を前記開閉体に固定する固定部材が取り付けられるとともに、前記指示部に基いて折畳まれる際に前記屋外側に面する固定部材取付部と、を備えることを特徴とする。
【０００７】
上記防水シートでは、予めシート本体に折畳む位置を示す指示部を設けているので、例えば、開口部よりも遥かに幅が大きな場合に、常に一定の位置で折畳むことができる。また、指示部の近傍に折畳まれる際に屋外側に面する固定部材が取り付けられる固定部材取付部を設けている。このために、防水シートは、指示部に基いて折畳まれる際に、固定部材取付部に取り付けられた固定部材が、折畳まれた箇所の折り目を維持することとなる。したがって、開口部に設置された際に、開閉体から位置ずれすることが抑制される。よって、防水シートは、種々の開口部に設置される際にも、開口部からの浸水を抑制することができ、種々の開口部の幅にも対応することができて、コストの高騰を抑制することができる。
【０００８】
上記防水シートにおいて、前記指示部は、前記シート本体から屋外側に立設するとともに前記鉛直方向に沿って前記シート本体に設けられたつまみ部を備えることが好ましい。
【０００９】
上記防水シートでは、シート本体から屋外側に立設したつまみ部を指示部が備えているので、つまみ部をつまむことにより、容易に一定の位置で折畳むことができる。
【００１０】
本発明の防水シートを用いた防水方法は、構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ鉛直方向下端部が床面に沿って屋外側に向けて延在するように、前記開閉体よりも屋外側に位置付けられて、幅方向の端が保持部材により保持されるシート本体と、前記開口部に設置される際に折畳む位置を示すとともに鉛直方向に沿って設けられた指示部と、前記指示部の近傍に配置され、かつ前記シート本体を前記開閉体に取り付ける固定部材が取り付けられる固定部材取付部と、を備える防水シートを用いた防水方法であって、前記防水シートの幅方向の両端を前記保持部材により保持し、前記固定部材取付部が屋外側に面するように、前記防水シートを前記指示部に基いて折畳み、前記固定部材取付部に取り付けられた固定部材を前記開閉体に取り付けることを特徴とする。
【００１１】
上記防水シートを用いた防水方法では、指示部に基いてシート本体を折畳むので、例えば、開口部よりも遥かに幅が大きな場合に、常に一定の位置で折畳むことができる。また、指示部の近傍の固定部材取付部が屋外側に面するようにシート本体を折畳むので、固定部材取付部に取り付けられた固定部材が、折畳まれた箇所の折り目を維持することとなる。したがって、開口部に設置された際に、開閉体から防水シートが位置ずれすることが抑制される。よって、防水シートを種々の開口部に設置される際にも、開口部からの浸水を抑制することができ、種々の開口部の幅にも対応することができて、防水シートのコストの高騰を抑制することができる。
【００１２】
本発明の開口部の防水装置は、構造物の屋内側と屋外側とを連通し、かつ開閉体によって開閉される開口部に設置される防水シートと、前記防水シートが前記開閉体の鉛直方向下端側の所定部と、前記構造物のうち前記所定部に隣接する部分とを一体に覆うことで前記開口部の鉛直方向下端側を閉塞し、かつ前記防水シートの鉛直方向下端部が床面に沿って屋外側に向けて延在するように、前記防水シートを前記開閉体よりも屋外側に位置付けて、前記防水シートの幅方向の端を保持する保持部材と、を備え、前記防水シートが、幅方向の両端が前記保持部材により保持されるシート本体と、前記開口部に設置される際に折畳む位置を示すとともに前記シート本体に鉛直方向に沿って設けられた指示部と、前記シート本体の前記指示部の近傍に配置され、かつ前記シート本体を前記開閉体に取り付ける固定部材が取り付けられるとともに、前記指示部に基いて折畳まれる際に前記屋外側に面する固定部材取付部と、を備えることを特徴とする。
【００１３】
上記開口部の防水装置では、予め防水シートに折畳む位置を示す指示部を設けているので、例えば、開口部よりも遥かに幅が大きな場合に、常に一定の位置で防水シートを折畳むことができる。また、防水シートの指示部の近傍に折畳まれる際に屋外側に面する固定部材が取り付けられる固定部材取付部を設けている。このために、防水シートが指示部に基いて折畳まれる際に、固定部材取付部に取り付けられた固定部材が、折畳まれた箇所の折り目を維持することとなる。したがって、開口部に設置された際に、開閉体から防水シートが位置ずれすることが抑制される。よって、開口部の防水装置は、種々の開口部に設置される際にも、開口部からの浸水を抑制することができ、防水シートが種々の開口部の幅にも対応することができて、コストの高騰を抑制することができる。
【００１４】
上記開口部の防水装置において、前記指示部は、前記シート本体から屋外側に立設するとともに前記鉛直方向に沿って前記シート本体に設けられたつまみ部を備えることが好ましい。
【００１５】
上記開口部の防水装置では、シート本体から屋外側に立設したつまみ部を指示部が備えているので、つまみ部をつまむことにより、容易に一定の位置で折畳むことができる。
【発明の効果】
【００１６】
本発明に係る防水シート、防水シートを用いた防水方法及び開口部の防水装置は、種々の開口部に設置される際にも、開口部からの浸水を抑制することができるという効果を奏する。
【図面の簡単な説明】
【００１７】
【図１】図１は、本発明の実施形態１に係る開口部の防水装置を示す斜視図である。
【図２】図２は、本発明の実施形態１に係る開口部の防水装置の防水シートの屋外側からみた平面図である。
【図３】図３は、本発明の実施形態１に係る開口部の防水装置の防水シートの要部の斜視図である。
【図４】図４は、本発明の実施形態１に係る開口部の防水装置の開口部に設置された防水シートの要部の水平断面図である。
【図５】図５は、本発明の実施形態１に係る開口部の防水装置の他の開口部に設置された防水シートの要部の水平断面図である。
【図６】図６は、本発明の実施形態２に係る開口部の防水装置を示す斜視図である。
【図７】図７は、本発明の実施形態２に係る開口部の防水装置の防水シートの要部の斜視図である。
【図８】図８は、本発明の実施形態１の変形例に係る開口部の防水装置の防水シートの要部の平面図である。
【図９】図９は、本発明の実施形態１の変形例に係る開口部の防水装置の防水シートの要部の斜視図である。
【発明を実施するための形態】
【００１８】
以下に、本発明の実施形態に係る開口部の防水装置につき図面を参照しつつ詳細に説明する。なお、これらの実施形態によりこの発明が限定されるものではない。また、下記の実施形態における構成要素には、当業者が容易に想定できるものあるいは実質的に同一のものが含まれる。
【００１９】
［実施形態１］
図１から図５を参照して、実施形態１について説明する。実施形態１は、構造物の開口部を防水する開口部の防水装置に関する。図１は、本発明の実施形態１に係る開口部の防水装置を示す斜視図、図２は、本発明の実施形態１に係る開口部の防水装置の防水シートの屋外側からみた平面図、図３は、本発明の実施形態１に係る開口部の防水装置の防水シートの要部の斜視図である。
【００２０】
建物等の構造物の外部開口部には、開閉体としてのシャッターや開閉扉が付けられることが多い。例えば、洪水時などに浸水しやすい地下駐車場の入口や、浸水すると商品が毀損されやすい店舗の入口等にもシャッターや開閉扉が付けられていることが多い。シャッターは、隙間が多い構造であるため、ゲリラ豪雨や洪水時にはシャッターの隙間を介した浸水によってこれらの施設が被害に遭う可能性がある。また、開閉扉には、扉間及び各扉と開口部との間に隙間があるために、ゲリラ豪雨や洪水時には隙間を介した浸水によって店舗等の施設が被害に遭う可能性がある。
【００２１】
浸水対策として、シャッターや開閉扉の下部を防水板（パネル）に変更する方法も考えられるが、一般的に高額となりやすいため、ユーザーにとって受け入れにくい場合がある。
【００２２】
実施形態１に係る開口部の防水装置１は、開閉体としてのシャッターや開閉扉の前に防水シートを設置して、簡易的にかつ安価に止水することを可能とする。防水シートは、開閉体とその周囲の構造物とを一体に覆うことで、開閉体と構造物との隙間を閉塞し、適切に止水することができる。よって、実施形態１にかかる開口部の防水装置１によれば、水害による建物内部の被害を軽減することができる。
【００２３】
図１に示す開口部の防水装置１は、構造物Ｓの開口部Ｏ（図１に示す）を閉塞し、屋外側から屋内側への水の浸入を抑制するものである。構造物Ｓは、例えば、工場、倉庫、車庫、店舗、家屋等の建築構造物であり、開口部Ｏを有している。開口部Ｏは、構造物Ｓの壁３等に形成されており、構造物Ｓの屋外側と屋内側とを連通している。本実施形態では、開口部Ｏは、壁３などにより囲まれている。
【００２４】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１を、例えば単なる道路の防水用仕切りとして使用したり、外部空間における門等の箇所に取り付ける等のように、家屋や部屋等の概念がない箇所に設けても良い。また、開口部Ｏは、前述の屋外側と屋内側とを連通するものとすることができる。本実施形態の開口部Ｏは、構造物Ｓの外殻をなす壁３に形成されており、壁３を貫通して構造物Ｓの屋外と屋内とを連通している。なお、これに限らず、開口部Ｏは、構造物Ｓの内部を仕切る壁に形成されたものであってもよい。
【００２５】
前述した開口部Ｏには、当該開口部Ｏを開閉する開閉体としてのシャッター４が設けられている。即ち、開口部Ｏは、シャッター４によって開閉される。シャッター４は、開閉方向、本実施形態では鉛直上下方向に移動する。シャッター４は、図１に示すように、金属で構成された複数のスラット４ａを開閉方向即ち鉛直方向に連接して形成されたスラット連接体である。本実施形態では、開方向が上方向、閉方向が下方向となる。
【００２６】
シャッター４は、図１に示すように、幅方向の両端がガイドレール５により保持されて、鉛直方向の移動が案内される。ガイドレール５は、壁３の縁にそれぞれ設けられており、幅方向において互いに対向している。シャッター４の幅方向の両端は、それぞれ、ガイドレール５の溝部５ａに挿入されている。溝部５ａは、開閉方向即ち鉛直方向に延在しており、シャッター４を開閉方向即ち鉛直方向に移動自在に案内する。なお、壁３とガイドレール５は、開口部Ｏを囲む壁部を構成している。
【００２７】
また、シャッター４は、開口部Ｏの上端部に設けられたホイルかご（図示せず）に巻き取り可能である。シャッター４は、ホイルかごに巻き取られることで、開口部Ｏを解放することができ、ホイルかごから繰り出されることで開口部Ｏを閉鎖することができる。シャッター４の巻き取り繰り出しは、手動でなされても、モータ等の駆動装置によってなされても良い。本実施形態のシャッター装置は、シャッター４、ガイドレール５及びホイルかごなどを有する。
【００２８】
図１に戻り、開口部の防水装置（以下、防水装置と呼ぶ）１は、防水シート１０、一対の保持部材２０、押圧部材３０などを備える。防水シート１０は、開口部Ｏに設置されるものであり、開口部Ｏの鉛直方向下端側の領域を閉塞することが可能な幅および長さを有している。防水シート１０の形状は、図２に示すように、例えば、矩形である。防水シート１０は、遮水性を有しており、開口部Ｏの防水シートとして機能することができる。また、防水シート１０は、可撓性を有しており、伸縮可能であってもよい。防水シート１０の素材は、例えば、樹脂、ゴム、表面を樹脂などでコーティングした布とすることができる。防水シート１０は、水圧によって追従して変形可能な素材で構成されることが好ましい。
【００２９】
防水シート１０の幅は、シャッター４の幅よりも大きい。また、防水シート１０の幅は、開口部Ｏの幅Ｗ（図１参照）よりも大きいことが好ましい。防水シート１０の鉛直方向の長さは、対応すべき水深に基づいて定められている。すなわち、シャッター４の下端から鉛直方向上側に向けてどの範囲を防水シート１０によって覆い防水するかに基づいて防水シート１０の全長が定められている。以下の説明では、シャッター４において防水シート１０によって覆われるべき部分を「所定部」（図１の符号４１参照）と称する。所定部４１は、シャッター４の鉛直方向下端側の部分である。なお、本発明でいう防水シート１０の鉛直方向とは、防水シート１０が開口部Ｏに設置された際の上下方向を示しており、防水シート１０の幅方向とは、防水シート１０が開口部Ｏに設置された際の左右方向を示しており、防水シート１０の屋外側とは、防水シート１０が開口部Ｏに設置された際の屋外側を示している。
【００３０】
防水シート１０は、図２に示すように、前述した遮水性と可撓性を有するシート本体１１と、シート本体１１の幅方向の両端に設けられた心材１４と、指示部１５と、固定部材取付部１２とを備えている。シート本体１１は、心材１４が保持部材２０により保持されることで、幅方向の両端が保持部材２０により保持されるものである。
【００３１】
心材１４は、軽量でかつ可撓性を有する素材、例えば樹脂素材で形成されている。心材１４は、シート本体１１の幅方向の両端の上端から所定部４１の下端に対応する箇所、即ちシート本体１１の幅方向の両端の後述のシート下部１３を除く箇所に配置されている。心材１４は、シート本体１１の長さ方向（鉛直方向）に延在している。心材１４は、円柱状に形成され、シート本体１１の両端に取り付けられている。
【００３２】
指示部１５は、防水シート１０が開口部Ｏに設置される際に、シート本体１１即ち防水シート１０が折畳まれる位置を示すものである。指示部１５は、シート本体１１の幅方向の中央に設けられ、鉛直方向に沿って直線状に設けられている。指示部１５は、シート本体１１の鉛直方向の全長に亘って設けられている。指示部１５は、図３に示すように、シート本体１１の幅方向の中央部の一部同士が重ねられて、互いに重ねられたシート本体１１の中央部の一部の基部同士が接着部１５ａと、つまみ部１６とを備えている。接着部１５ａは、互いに重ねられたシート本体１１の中央部の一部の基部同士を溶着することで、これらを接着している。また、指示部１５の接着部１５ａは、シート本体１１の他の部分よりも硬質に形成されている。このように、本発明では、指示部１５は、シート本体１１の他の部分よりも硬質に形成された部分を備えるのが望ましい。指示部１５は、鉛直方向のみでなく、ここから延長して床面７に沿う鉛直方向下端部（後述するシート下部１３）まで設けられていてもよい。ただし、この場合には、指示部１５が開閉体と床面７との境目で折り曲げられることになるので、少なくとも当該位置の指示部１５はある程度の可撓性等を有する折り曲げ可能な部材で構成する。また、指示部１５が床面７上に位置し、床面７上における他の防水シート１０よりも厚みを持っている可能性があるため、使用上における止水性能に悪影響をおよぼさない場合に採用できる。このような観点からは、指示部１５は、鉛直方向の全部または一部にのみ設け、鉛直方向下端部には設けないこととするのが好ましい。指示部１５は、シート本体１１の幅方向の中央とは限定されず任意であるが、止水性能上の観点からは、指示部１５や折畳まれた部分が開閉体と構造物（ガイドレール５等を含む）との境界に位置したり干渉したりするのを避けた位置になるような、シート本体１１の幅方向の中央寄りであることが好ましい。
【００３３】
つまみ部１６は、接着部１５ａに連なりかつシート本体１１から屋外側に立設するとともに、鉛直方向に沿って直線状にシート本体１１に設けられている。つまみ部１６は、シート本体１１の鉛直方向の全長に亘って設けられている。つまみ部１６は、図３に示すように、互いに重ねられかつ基部同士が接着部１５ａにより固定されたシート本体１１の中央部の一部により構成されている。つまみ部１６では、互いに重ねられたシート本体１１の中央部の一部同士は接着されていない。このように、互いに重ねられたシート本体１１の中央部の一部によりつまみ部１６が構成されることで、つまみ部１６は、接着部１５ａに連なっている。
【００３４】
固定部材取付部１２は、指示部１５と幅方向に隣接する位置に設けられて、指示部１５の近傍に配置されている。固定部材取付部１２は、指示部１５に基いてシート本体１１が折畳まれる際に屋外側に面するものである。固定部材取付部１２は、シート状の部材がシート本体１１の屋外側の表面に重ねられ、上方のみが開口するように、シート本体１１に張り付けられて、ポケット状に形成されている。固定部材取付部１２は、シート本体１１の鉛直方向の上端部に設けられている。固定部材取付部１２は、シート本体１１をシャッター４に固定する固定部材としてのマグネット４２（図１に示す）を収容することで、マグネット４２が取り付けられる。マグネット４２は、シート本体１１を介してシャッター４に吸着することで、シート本体１１の上端部をシャッター４に固定する。なお、折畳み部についても、シート本体１１はなるべく開閉体と密着するのが好ましいため、折畳まれて重ね合わされて膨出した部分が屋外側に面しているようにするのは、止水の観点からは一般的である（ただし、折畳みの容易性や止水性能上等で問題がなければ、逆の折畳みである膨出部分を屋内側にしてもよい）。
【００３５】
また、防水シート１０の上端部には、図１に示すように、シャッター４に吸着する吸盤４３が取り付けられている。吸盤４３は、防水シート１０のシート本体１１の幅方向の両端部に取り付けられている。さらに、つまみ部１６の互いに重ねられたシート本体１１の中央部の一部のうちの固定部材取付部１２から離れた側の一方には、つまみ部側固定部材１７が設けられ、シート本体１１の屋外側の表面に本体側固定部材１８が設けられている。つまみ部側固定部材１７は、つまみ部１６の上端部に設けられている。本体側固定部材１８は、シート本体１１の上端部で、かつ固定部材取付部１２との間に指示部１５を挟む位置に配置されている。つまみ部側固定部材１７と、本体側固定部材１８は、面ファスナーなどの互いに着脱自在な部材で構成されている。本体側固定部材１８は、シート本体１１の幅方向に直線状に延在している。
【００３６】
保持部材２０は、防水シート１０をシャッター４よりも屋外側に位置付けて構造物Ｓに対して保持する。より詳しくは、保持部材２０は、シャッター４の所定部４１と、構造物Ｓのうち所定部４１に隣接する部分とを一体に覆うことで開口部Ｏの鉛直方向下端側を閉塞させるように防水シート１０の心材１４を保持する。また、保持部材２０は、防水シート１０の鉛直方向下端部が床面７に沿って屋外側に向けて延在するように防水シート１０の幅方向の両端の心材１４を保持する。これにより、防水シート１０は、シャッター４が有する隙間やシャッター４とガイドレール５及び構造物Ｓとの隙間を塞ぎ、屋内側への浸水を抑制することができる。なお、本明細書では、防水シート１０の鉛直方向下端部であって、防水シート１０が保持部材２０によって保持された状態で床面７に沿って延在する部分を、以下「シート下部１３」と記載する。なお、本発明でいう床面とは、説明上分かりやすくするための便宜上の表現であって、通常の床面７のみならず、コンクリート面や地面等の開口部Ｏの下方に位置する面を総称する。
【００３７】
保持部材２０は、アルミニウム合金等で構成され、図１に示すように、ガイドレール５に取り付けられる取付部２１と、取付部２１に設けられたシート保持部２２とを一体に備えている。
【００３８】
取付部２１は、平板状に形成されている。シート保持部２２は、断面Ｃ字形に形成され、かつ取付部２１の表面上に設けられている。シート保持部２２は、一対の保持部材２０同士が対向する面にスリット２２ａが形成されている。シート保持部２２は、スリット２２ａ内に防水シート１０の幅方向の端に設けられた心材１４が挿入されることで、防水シート１０の幅方向の端を保持する。保持部材２０は、取付部２１がガイドレール５に取り付けられると、鉛直方向に延在し、シャッター４の所定部４１に対応する範囲に配置される。すなわち、保持部材２０は、シャッター４の下端から所定部４１の上端までの範囲に対応して配される。なお、本発明では、保持部材２０は、防水装置１の防水性能等の使用上の問題がないような実質的な意味でシャッター４の所定部４１に対応していればよく、例えば、保持部材２０の上端は必ずしも所定部４１の上端と一致せず、若干下側に位置していてもよい。保持部材２０を構成する材質は、防水シート１０を保持できれば任意であり、アルミニウム合金に替えて、例えば、硬質性の樹脂等でもよい。
【００３９】
また、保持部材２０のシート保持部２２のスリット２２ａの幅は、心材１４の厚みよりも小さいため、心材１４がスリット２２ａを介してシート保持部２２から抜け出ることが規制される。なお、心材１４は、円柱状のものには限定されず、例えば、断面が矩形などの多角形の平板状であってもよい。
【００４０】
さらに、防水シート１０のシート本体１１の幅方向の両端部には、図１及び図２に示すように、ガイドレール５及び床面７との間を止水する板状の止水ゴム１９が設けられている。止水ゴム１９は、シート本体１１の幅方向の両端部において、シート本体１１の上端からシート下部１３の鉛直方向の中央部とに亘って、鉛直方向に直線状に延在している。
【００４１】
押圧部材３０は、防水シート１０のシート下部１３上に配置されて、防水シート１０を床面７に向けて押圧するものであり、例えば防水シート１０を床面７およびシャッター４に向けて押圧する。押圧部材３０は、図１に示すように、シート下部１３上の開口部Ｏの幅方向に沿って連続的に配置される。押圧部材３０は、隙間無く配置されても、隣接する押圧部材３０間に所定の隙間を設けて配置されても良い。押圧部材３０は、棒状あるいは板状であることが好ましい。本実施形態に係る押圧部材３０は、板状のフラットバーである。押圧部材３０は、例えば、金属製であり、浮力に抗して防水シート１０のシート下部１３を床面７に向けて押圧することができる質量や密度を有している。押圧部材３０は、シート下部１３が床面７に沿って配置された後でシート下部１３上に設置される。これにより、押圧部材３０は、シャッター４の下端部の近傍において防水シート１０を床面７に密着させておくことができる。押圧部材３０は、一本でもよいし、複数に分割されていても結果として開口部Ｏの幅方向に沿って連続的に配置されていてもよい。なお、使用上における止水目的を達成できれば、連続的でなく、若干途切れている箇所があってもよい。なお、指示部１５や折畳み部がシート下部１３にも存在する場合には、この上に押圧部材３０を設置するのが好ましい（押圧部材３０がシート下部１３上の開口部Ｏの幅方向全体に亘って連続的に配置されていれば、結果として、押圧部材３０が指示部１５上にも設置されていることになる）。
【００４２】
防水シート１０を開口部Ｏに設置する方法、即ち、防水装置１を組み立てる方法を、図面を参照して、実施形態について説明する。図４は、本発明の実施形態１に係る開口部の防水装置の開口部に設置された防水シートの要部の水平断面図、図５は、本発明の実施形態１に係る開口部の防水装置の他の開口部に設置された防水シートの要部の水平断面図である。
【００４３】
防水シート１０を開口部Ｏに設置する即ち防水装置１を組み立てる場合、まず、防水シート１０の幅方向の両端及び心材１４を、保持部材２０の上端からシート保持部２２内に挿入し、防水シート１０の両端及び心材１４を保持部材２０の下端に向けてシート保持部２２内で移動させる。そして、防水シート１０の両端及び心材１４が保持部材２０のシート保持部２２に挟持され、防水シート１０の心材１４が設けられていないシート下部１３を、保持部材２０の下端に設けられた間隙を通して、床面７上に引き出し、床面７に沿って屋外側に向けて延在させる。
【００４４】
すると、防水シート１０の幅は、開口部Ｏの幅Ｗ（図１参照）よりも大きく、以下に示すような幅に設定している。すなわち、防水シート１０の両端が保持部材２０によって保持された状態で、防水シート１０は、たるみを有している。つまり、保持部材２０は、防水シート１０がたるみを有した状態で防水シート１０を保持し、防水シート１０が保持部材２０よりもシャッター４側に向けて撓んで所定部４１と接触することを許容する。従って、防水シート１０が保持部材２０によって保持された状態で、防水シート１０をシャッター４に沿わせた状態に設置することが可能である。なお、保持部材２０に保持され、かつ水圧がかかる前の状態において、防水シート１０は、皺を極力発生させることなくシャッター４に密着可能な程度のたるみを有していることが好ましい。
【００４５】
また、防水シート１０の鉛直方向の長さは、シャッター４の所定部４１の鉛直方向の長さよりも長く、以下に示すような長さに設定している。すなわち、防水シート１０が保持部材２０によって保持された状態で、シート下部１３を床面７上に垂らし、床面７に沿わせることが可能である。防水シート１０は、このシート下部１３を床面７に沿って屋外側に向けて延在された状態で設置される。言い換えると、防水シート１０は、シート下部１３に設けられた床面７と対向し、かつシート下部１３が先端側へ向かうに従いシャッター４から離間するように配置される。
【００４６】
そして、開口部Ｏに設置された際にシャッター４の表面に密着させても、防水シート１０に多数の皺が発生する場合のように、防水シート１０の幅が開口部Ｏの幅Ｗよりも遥かに大きい場合には、防水シート１０が皺を極力発生させることなくシャッター４に密着可能な程度のたるみを有するように、防水シート１０を指示部１５に基いて折畳む。このとき、つまみ部１６の先端を先頭にしかつ固定部材取付部１２が屋外側に面して重ねられるように、図５に示すように、防水シート１０のシート本体１１を中央部で折畳む。このとき、防水シート１０が極力皺を発生させることなくシャッター４に密着可能なように、防水シート１０のシート本体１１の中央部を、鉛直方向の全長に亘って折畳む。
【００４７】
そして、防水シート１０のシート本体１１の折畳まれた箇所を介して、マグネット４２をシャッター４に吸着させて、防水シート１０のシート本体１１の折畳まれた箇所をシャッター４に固定する。さらに、つまみ部側固定部材１７と本体側固定部材１８とを互いに固定して、つまみ部１６をシート本体１１に固定する。このように、実施形態１では、つまみ部１６を先頭としかつ固定部材取付部１２が屋外側に面するように、防水シート１０のシート本体１１を折畳むことを、防水シート１０のシート本体１１を指示部１５に基いて折畳むという。このように、本実施形態では、防水シート１０のシート本体１１の幅方向の両端を保持部材２０により保持し、固定部材取付部１２が屋外側に面するように指示部１５に基いて折畳み、固定部材取付部１２に取り付けられたマグネット４２を防水シート１０のシート本体１１の折畳まれた箇所を介してシャッター４に取り付ける。
【００４８】
また、防水シート１０の幅が、両端の心材１４が保持部材２０に保持されて、開口部Ｏに設置された際にシャッター４に密着させると、防水シート１０が皺を殆ど発生させない場合には、防水シート１０のシート本体１１の幅方向の両端を保持部材２０により保持し、シート下部１３を床面７に沿って屋外側に向けて延在させた後、図４に示すように、つまみ部側固定部材１７と本体側固定部材１８とを互いに固定する。
【００４９】
そして、押圧部材３０をシート下部１３上に配置する。こうして、防水シート１０が所定部４１と壁３の所定部４１に隣接する部分とを一体に覆いかつシート下部１３が床面７に沿って屋外側に向けて延在した状態で、押圧部材３０により防水シート１０を床面７、シャッター４に向けて押圧する。さらに、吸盤４３をシャッター４の表面に吸着する。こうして、防水装置１が組み立てられる。
【００５０】
また、防水装置１では、防水シート１０の上端部をシャッター４に固定するマグネット４２及び吸盤４３を備えることにより、防水シート１０がシャッター４に取り付けられ、防水シート１０が垂れ下がることが抑制される。これにより、防水シート１０の上端部を狙いとする水位の位置よりも上方に保持しておくことができる。なお、マグネット４２及び吸盤４３の代わりに、防水シート１０の上端部をシャッター４に固定する固定部材は、粘着式のテープや面ファスナー等を用いることができる。
【００５１】
実施形態１の防水装置１では、洪水やゲリラ豪雨等によって屋外の水嵩が増すと、まずシート下部１３が水に接する。水圧によってシート下部１３は床面７に向けて押圧されて、シート下部１３が床面７に密着する。これにより、シート下部１３と床面７との間から水が浸入することが抑制される。また、押圧部材３０によってシート下部１３が床面７に向けて押圧されていることで、低水位の場合であってもシート下部１３と床面７との隙間を介した浸水がより確実に抑制される。また、押圧部材３０は、水流等によってシート下部１３が浮き上がることを抑制することが可能である。防水シート１０は、水圧によって所定部４１と、所定部４１に隣接する床面７とを一体に覆うことができる。
【００５２】
また、防水シート１０において、シャッター４を覆う部分は、水圧によってシャッター４に向けて押圧される。これにより、防水シート１０は、シャッター４の所定部４１と、所定部４１に隣接するガイドレール５とを一体に覆うことができる。防水シート１０は、水圧によって押圧されることにより、ガイドレール５及びシャッター４等に密着し、防水シート１０と、ガイドレール５及びシャッター４との間に水が浸入することを抑制することができる。
【００５３】
また、防水シート１０は、水圧によってシャッター４の隙間やシャッター４とガイドレール５との間の隙間を塞ぐことで、これらの隙間を介した屋内側への浸水を抑制することができる。防水シート１０は、水圧によってシャッター４の所定部４１と、所定部４１に隣接する床面７との隙間を塞ぐことで、シャッター４と床面７との隙間を介した屋内側への浸水を抑制することができる。
【００５４】
防水シート１０は、水圧によって、ガイドレール５及びシャッター４に対して押圧されるため、水位が増加するに従いガイドレール５及びシャッター４に対する密着性が増し、また各隙間を閉塞する閉塞性が増す。よって、防水シート１０は、水位に応じて遮水性能が増し、適切に屋内側への浸水を抑制することができる。
【００５５】
また、防水シート１０は、予めたるみを有した状態で保持部材２０によって保持されているため、水位の増加に応じて水圧によって速やかにガイドレール５及びシャッター４に密着することが可能である。また、たるみを有しているため、シャッター４とガイドレール５との間の隙間など、各部の隙間の形状に対応して適切に変形・屈曲し、各隙間を速やかにかつ適切に閉塞することができる。
【００５６】
実施形態１の防水装置１によれば、予め防水シート１０に折畳む位置を示す指示部１５を設けているので、例えば、開口部Ｏよりも遥かに防水シート１０の幅が大きな場合に、常に一定の位置で防水シート１０を折畳むことができる。また、防水シート１０の指示部１５の近傍に折畳まれる際に屋外側に面しかつマグネット４２が取り付けられる固定部材取付部１２を設けている。このために、防水シート１０が指示部１５に基いて折畳まれる際に、固定部材取付部１２に取り付けられたマグネット４２が、防水シート１０のシート本体１１の折畳まれた箇所をシャッター４に押し付けて、折畳まれた箇所の折り目を維持する。したがって、防水装置１は、開口部Ｏに設置された際に、シャッター４から防水シート１０が位置ずれすることを抑制できる。よって、防水装置１は、種々の開口部Ｏに設置される際にも、開口部Ｏからの浸水を抑制することができ、防水シート１０が種々の開口部Ｏの幅にも対応することができて、コストの高騰を抑制することができる。
【００５７】
さらに、防水装置１は、指示部１５がシート本体１１から屋外側に立設したつまみ部１６を備えているので、つまみ部１６をつまむことにより、容易に一定の位置で防水シート１０のシート本体１１を折畳むことができる。
【００５８】
［実施形態２］
実施形態２に係る防水装置１について説明する。図６は、本発明の実施形態２に係る開口部の防水装置を示す斜視図、図７は、本発明の実施形態２に係る開口部の防水装置の防水シートの要部の斜視図である。図６及び図７において、実施形態１と同一部分には、同一符号を付して説明を省略する。
【００５９】
実施形態２に係る防水装置１の防水シート１０では、図６及び図７に示すように、固定部材として吸盤４５が用いられ、吸盤４５が取り付けられる固定部材取付部１２がつまみ部１６の上端部に設けられている。実施形態２に係る防水装置１の防水シート１０では、固定部材取付部１２をつまみ部１６の上端部に設けられた孔とすることで、固定部材取付部１２を指示部１５の近傍に配置している。また、つまみ部１６は、防水シート１０のシート本体１１が指示部１５に基いて折畳まれる際に、屋外側に面する。
【００６０】
防水シート１０を開口部Ｏに設置する即ち実施形態２に係る防水装置１は、実施形態１と同様に組み立てられる。まず、実施形態２に係る防水装置１は、実施形態１と同様に、防水シート１０の幅方向の両端を保持部材２０で保持し、シート下部１３を床面７に沿って屋外側に向けて延在させる。そして、開口部Ｏに設置された際にシャッター４の表面に密着させても、防水シート１０に多数の皺が発生する場合には、実施形態１と同様に、防水シート１０を指示部１５に基いて折畳む。このとき、つまみ部１６の先端を先頭にしかつ固定部材取付部１２即ちつまみ部１６が屋外側に面して重ねられるとともに、防水シート１０が極力皺を発生させることなくシャッター４に密着可能なように、防水シート１０のシート本体１１を中央部で折畳む。そして、吸盤４５をシャッター４の表面に吸着させて、防水シート１０のシート本体１１の折畳まれた箇所をシャッター４に固定する。さらに、つまみ部側固定部材１７と本体側固定部材１８とを互いに固定して、つまみ部１６をシート本体１１に固定する。
【００６１】
このように、実施形態２では、防水シート１０のシート本体１１の幅方向の両端を保持部材２０により保持し、固定部材取付部１２が屋外側に面するように指示部１５に基いて折畳み、固定部材取付部１２に取り付けられた吸盤４５をシャッター４に取り付ける。そして、押圧部材３０をシート下部１３上に配置し、吸盤４３をシャッター４の表面に吸着する。こうして、防水装置１が組み立てられる。なお、指示部１５や折畳み部がシート下部１３にも存在する場合には、この上に押圧部材３０を設置するのが好ましい（押圧部材３０がシート下部１３上の開口部Ｏの幅方向全体に亘って連続的に配置されていれば、結果として、押圧部材３０が指示部１５上にも設置されていることになる）。
【００６２】
実施形態２に係る防水装置１の防水シート１０によれば、前述した実施形態１と同様に、種々の開口部Ｏに設置される際にも、開口部Ｏからの浸水を抑制することができ、防水シート１０が種々の開口部Ｏの幅にも対応することができて、コストの高騰を抑制することができる。
【００６３】
また、実施形態１及び実施形態２では、つまみ部１６を設けているが、本発明では、図８及び図９に示す変形例のように、防水シート１０につまみ部１６を設けなくても良い。図８は、本発明の実施形態１の変形例に係る開口部の防水装置の防水シートの要部の平面図、図９は、本発明の実施形態１の変形例に係る開口部の防水装置の防水シートの要部の斜視図である。なお、図８及び図９において、実施形態１と同一部分には、同一符号を付して説明を省略する。
【００６４】
図８及び図９に示す変形例では、指示部１５は、防水シート１０のシート本体１１の幅方向の中央部に設けられ、鉛直方向にシート本体１１の全長に亘って直線状に設けられたマークである。指示部１５の近傍には、固定部材取付部１２と、マジックテーブルなどで構成されたシート用固定部材４６とが設けられている。固定部材取付部１２と、シート用固定部材４６とは、互いの間に指示部１５を挟む位置に配置されている。
【００６５】
変形例では、防水シート１０を開口部Ｏに設置する際にシート本体１１を折畳む場合には、図９に示すように、指示部１５を先頭にし、固定部材取付部１２が屋外側に面するように、シート本体１１を折畳む。そして、マグネット４２により防水シート１０のシート本体１１の上端部をシャッター４に固定するとともに、シート用固定部材４６同士を取り付けて、防水シート１０のシート本体１１の折畳んだ箇所を維持する。このように、変形例では、指示部１５を先頭としかつ固定部材取付部１２が屋外側に面するように、防水シート１０のシート本体１１を折畳むことを、防水シート１０のシート本体１１を指示部１５に基いて折畳むという。変形例では、固定部材としてマグネット４２の代わりに吸盤４５を用いてもよく、この場合、固定部材取付部１２を指示部１５に設けるのが望ましい。また、本発明では、指示部１５は、接着部１５ａのみで構成されてもよい。
【００６６】
また、実施形態１、実施形態２及び変形例では、開閉体としてシャッターを示しているが、本発明では、開閉体として、例えば、左右水平方向などの開閉方向に一対の扉が移動することで開口部Ｏを開閉する開閉扉を用いても良い。この場合、防水シート１０の上端部を開閉体に取り付ける固定部材として、吸盤４３，４５のみを用いるのが望ましい。また、前述した実施形態１、実施形態２では、防水シート１０につまみ部１６を一体に設けたが、本発明では、これに限定されることなく、つまみ部１６を防水シート１０と別体に設けてもよい。また、本発明では、折畳む順序と、シート本体１１の幅方向の両端を保持部材２０により保持させる順序は任意であるが、一般的には、最初にシート本体１１の幅方向の端部を一方の保持部材２０に支持させ、次いで、他方の端部を他方の保持部材２０に支持させた後、この他方の保持部材２０に近い側の位置で折畳むのが好ましい（このような位置に指示部１５が配置されるように、例えば、シート本体１１の幅方向中央ではなく、中央寄りではあるが、ある程度どちらかの幅方向に偏った位置に指示部１５が存在するように構成されていることが好ましい）。
【００６７】
上記の実施形態および変形例に開示された内容は、適宜組み合わせて実施することができる。
【符号の説明】
【００６８】
１  開口部の防水装置
４  シャッター（開閉体）
７  床面
１０  防水シート
１１  シート本体
１２  固定部材取付部
１３  シート下部（鉛直方向下端部）
１５  指示部
１６  つまみ部
２０  保持部材
４１  所定部
４２  マグネット（固定部材）
４５  吸盤（固定部材）
Ｏ  開口部
Ｓ  構造物
【図１】
2015040438.tif 000003
【図２】
2015040438.tif 000004
【図３】
2015040438.tif 000005
【図４】
2015040438.tif 000006
【図５】
2015040438.tif 000007
【図６】
2015040438.tif 000008
【図７】
2015040438.tif 000009
【図８】
2015040438.tif 000010
【図９】
2015040438.tif 000011